(57)【要約】  室内側からメンテナンスできる範囲を拡大できる天吊型空気調和装置を提供する。  空気調和装置１００は、負荷側筐体１１内に収容された送風機１２と負荷側熱交換器１４とを有する負荷側ユニット１０と、負荷側熱交換器１４と冷凍サイクルを構成する熱源側熱交換器２４と圧縮機２３とを有する熱源側ユニット２０とを備え、負荷側ユニット１０及び熱源側ユニット２０は、天井面５０と並行する方向に連結配置している。
2018055726.tif 000002
【特許請求の範囲】
【請求項１】
筐体内に収容された送風機と負荷側熱交換器とを有する負荷側ユニットと、
前記負荷側熱交換器と冷凍サイクルを構成する熱源側熱交換器と圧縮機とを有する熱源側ユニットと、を備え、
前記負荷側ユニット及び前記熱源側ユニットは、天井面と並行する方向に連結配置したことを特徴とする天吊型空気調和装置。
【請求項２】
前記負荷側ユニット及び前記熱源側ユニットは、連結部材によって連結され、各々のユニットが前記連結部材と着脱可能であることを特徴とする請求項１に記載の天吊型空気調和装置。
【請求項３】
前記負荷側熱交換器の下方に配置された負荷側ドレンパンと、前記熱源側熱交換器の下方に配置され、前記負荷側ドレンパンと配管を介して接続された熱源側ドレンパンとを備えたことを特徴とする請求項１または請求項２に記載の天吊型空気調和装置。
【請求項４】
前記熱源側ユニットは、点検口を有する底板を備え、前記底板の上面に制御装置を配置したことを特徴とする請求項１〜３のいずれか一項に記載の天吊型空気調和装置。
【請求項５】
前記熱源側ユニットは、前記底板の上方に仕切板を備え、前記仕切板の上面に前記圧縮機を配置したことを特徴とする請求項４に記載の天吊型空気調和装置。
【発明の詳細な説明】
【技術分野】
【０００１】
本発明は、建築物の天井裏に配置され、室内の空調を行う天吊型空気調和装置に関するものである。
【背景技術】
【０００２】
従来から、冷凍サイクルを構成する蒸発器と凝縮器とを共に備えたケースを天井裏に埋め込み、室内の空調を行う空気調和装置が知られている（例えば、特許文献１参照）。
【先行技術文献】
【特許文献】
【０００３】
【特許文献１】特開昭６２−６０８１７号公報（第３−４頁、第１図）
【発明の概要】
【発明が解決しようとする課題】
【０００４】
従来の空気調和装置では、ファン、蒸発器、凝縮器など多くの機器が同一ケース内に装備されており、蒸発器が凝縮器の上部に配置されている。このような構成では、室内側からメンテナンスを行える機器もあるが、空気調和装置の上部に配置されている機器、例えば蒸発器などは室内側からメンテナンスを行うことができないため、室内側からのメンテナンスできる範囲に制限があるという問題があった。【０００５】
本発明は、上述のような問題を解決するためになされたものであり、室内側からメンテナンスできる範囲を拡大できる天吊型空気調和装置を提供することを目的とする。
【課題を解決するための手段】
【０００６】
本発明における天吊型空気調和装置は、筐体内に収容された送風機と負荷側熱交換器とを有する負荷側ユニットと、負荷側熱交換器と冷凍サイクルを構成する熱源側熱交換器と圧縮機とを有する熱源側ユニットと、を備え、負荷側ユニット及び熱源側ユニットは、天井面と並行する方向に連結配置されるものである。
【発明の効果】
【０００７】
本発明における天吊型空気調和装置によれば、室内側からメンテナンスできる範囲を拡大でき、メンテナンス性を向上できる。
【図面の簡単な説明】
【０００８】
【図１】本発明の実施の形態に係る空気調和装置の全体を示す斜視図である。
【図２】本発明の実施の形態に係る空気調和装置の内部構成を示す構成図である。
【図３】本発明の実施の形態に係る負荷側ユニットの内部構成を示す構成図である。
【図４】本発明の実施の形態に係る熱源側ユニットの内部構成を示す構成図である。
【図５】本発明の実施の形態に係る空気調和装置を下側から見た外観図である。
【図６】本発明の実施の形態に係る空気調和装置の冷媒回路図である。
【図７】本発明の実施の形態に係る空気調和装置の冷房時における冷凍サイクルを示す冷媒回路図である。
【図８】本発明の実施の形態に係る空気調和装置の暖房時における冷凍サイクルを示す冷媒回路図である。
【発明を実施するための形態】
【０００９】
以下、本発明の実施の形態に係る空気調和装置について図面等を参照しながら説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態．
図１は、本発明の実施の形態に係る空気調和装置の全体を示す斜視図である。図２は、図１においてＡ方向から見た空気調和装置の内部構成を示す構成図である。図３は、図１においてＢ方向から見た負荷側ユニットの内部構成を示す構成図である。図４は、図１においてＣ方向から見た熱源側ユニットの内部構成を示す構成図である。本実施の形態の空気調和装置１００は、天井スラブと天井面５０の間に形成された天井裏の空間に収容される天井カセット型の天吊型空気調和装置である。空気調和装置１００は、天井面５０に設けられた取付け用開口部に室内側から挿入され、吊り下げボルト等を介して天井裏に吊り下げられて固定されている。空気調和装置１００は、負荷側ユニット１０、熱源側ユニット２０、負荷側ユニット１０と熱源側ユニット２０を天井面５０と並行する方向に連結させる連結部材１０１、空気調和装置１００の天井面５０に設けられるパネル１０２を備える。
【００１１】
負荷側ユニット１０と熱源側ユニット２０は連結部材１０１により天井面５０と並行する方向に連結され、天井裏に配置される。より詳細に述べると、負荷側ユニット１０の外郭を構成する負荷側筐体１１は、２つの角付近で支持部材１０３ａと着脱可能にねじ等により結合されており、それぞれの支持部材１０３ａはねじ等により連結部材１０１と結合されている。さらに、負荷側ユニット１０の負荷側筐体１１は他の２つの角付近で支持部材１０３ｂと着脱可能にねじ等により結合されており、それぞれの支持部材１０３ｂはねじ等により連結部材１０１と結合されている。
【００１２】
熱源側ユニット２０は、底板２１と、底板２１の上方に仕切板２２を備える。底板２１の上面には、後述する制御装置２７等が配置され、仕切板２２の上面には、後述する圧縮機２３と熱源側熱交換器２４等が配置される。底板２１と仕切板２２は２つの角付近で支持部材１０３ｂと着脱可能にねじ等により結合されている。さらに、底板２１と仕切板２２は他の２つの角付近で支持部材１０３ｃと着脱可能にねじ等により結合されており、それぞれの支持部材１０３ｃはねじ等により連結部材１０１と結合されている。つまり、負荷側ユニット１０が支持部材１０３ａと支持部材１０３ｂを介して連結部材１０１と結合され、熱源側ユニット２０が支持部材１０３ｂと支持部材１０３ｃを介して連結部材１０１と結合されることにより、負荷側ユニット１０と熱源側ユニット２０は天井面５０と並行した方向に連結して配置される。
【００１３】
さらに、負荷側ユニット１０と熱源側ユニット２０は、支持部材１０３ａ、１０３ｂ、１０３ｃとそれぞれ着脱可能に結合されているため、負荷側ユニット１０と熱源側ユニット２０は別々に天井裏から取り外すことができる。
【００１４】
なお、本実施の形態では、負荷側ユニット１０は、支持部材１０３ａ、１０３ｂを介して連結部材１０１と結合させたが、負荷側筐体１１と連結部材１０１を着脱可能にねじ等により直接結合しても良い。また、熱源側ユニット２０は、側面や上面を覆う熱源側筐体を備え、熱源側筐体と支持部材１０３ｂ、１０３ｃを着脱可能に結合しても良い。
【００１５】
次に、空気調和装置１００の負荷側ユニット１０と熱源側ユニット２０の構成について説明する。
【００１６】
負荷側ユニット１０は、外郭を構成する負荷側筐体１１と、負荷側筐体１１内に収容される送風機１２、フィルタ１３、負荷側熱交換器１４、負荷側ドレンパン１５、絞り装置１６、風路ガイド１７を備える。負荷側筐体１１の下面は開口が形成されており、パネル１０２で覆われている。
【００１７】
送風機１２は、図３に実線の矢印で示すように回転駆動により室内の空気を負荷側ユニット１０内に取り込み、負荷側熱交換器１４と熱交換させた空気を室内に供給させるものである。送風機１２は、例えば、シロッコファン若しくはターボファン等の遠心ファン、クロスフローファン、斜流ファン、又はプロペラファンとして構成できる。フィルタ１３は、負荷側ユニット１０内に取り込んだ空気が通過されることで空気に含まれる塵埃などを捕集する。
【００１８】
負荷側熱交換器１４は、内部に流れる冷媒と送風機１２によって取り込まれた空気との間で熱交換を行うことが可能な空冷式熱交換器である。本実施の形態では、図３に示すように、プレート上の熱交換器を２つ向い合せに配置させることで構成される。負荷側熱交換器１４は、冷房時には蒸発器として機能することで冷房用空気を生成し、暖房時には凝縮器として機能することで暖房用空気を生成する。負荷側熱交換器１４は、伝熱管と複数のフィンとにより構成されたクロスフィン式のフィン・アンド・チューブ型熱交換器、またはプレートフィン型熱交換器として構成される。なお、本実施の形態では、負荷側熱交換器１４は２つの熱交換器を向い合せて配置させることで構成しているが、Ｕ字形状又はＯ字形状の熱交換器として一体化して構成しても良い。
【００１９】
負荷側ドレンパン１５は、負荷側熱交換器１４の下方に設けられ、負荷側熱交換器１４において空気中の水分が凝縮されて生じるドレン水を受けるためのものである。本実施の形態では、負荷側ドレンパン１５は２つの負荷側熱交換器１４の下方にそれぞれ設けられることで構成される。また負荷側ドレンパン１５にはドレン水を負荷側ユニット１０の外部に排水するためのドレンポンプ(図示省略)が設けられている。
【００２０】
絞り装置１６は、高圧液冷媒を膨張及び減圧させて、蒸発器に流入させるものである。絞り装置１６は、例えば、機械式膨張弁である膨張機、又は多段階若しくは連続的に開度を調節可能なリニア電子膨張弁等の減圧装置として構成される。また、絞り装置１６は、キャピラリーチューブとして構成してもよい。
【００２１】
風路ガイド１７は、負荷側ドレンパン１５の下方に設けられており、送風機１２により取り込んだ空気がフィルタ１３、負荷側熱交換器１４を通過し、室内に供給させるように風路を形成するものである。
【００２２】
熱源側ユニット２０は、底板２１、仕切板２２、圧縮機２３、熱源側熱交換器２４、四方弁２５、熱源側ドレンパン２６、制御装置２７を備える。底板２１は、熱源側ユニット２０の下部に設けられており、上面に制御装置２７を配置する。底板２１は、図４に示すように室内側から制御装置２７のメンテナンスやソフトウェアのアップデートをするための点検口２８が設けられており、点検口２８は開閉可能な点検蓋２９により覆われている。仕切板２２は、底板２１より上方に設けられており、上面に圧縮機２３、熱源側熱交換器２４、四方弁２５を配置する。
【００２３】
圧縮機２３は、吸入した低圧冷媒を圧縮し、高圧冷媒として吐出する流体機械である。圧縮機２３は、例えば、ロータリ圧縮機又はスクロール圧縮機として構成される。なお、圧縮機２３は、例えば、回転周波数が一定の圧縮機として構成してもよいし、インバータを搭載した回転周波数を制御可能な圧縮機として構成してもよい。
【００２４】
熱源側熱交換器２４は、内部に流れる冷媒と熱媒体との間で熱交換を行うことが可能な水冷式熱交換器として構成される。熱源側熱交換器２４は、冷房時には凝縮器として機能し、暖房時には蒸発器として機能する。熱源側熱交換器２４は、例えば、プレート式熱交換器、二重管熱交換器として構成される。また、熱媒体としては、水又はブライン等の液状態媒体が用いられる。
【００２５】
四方弁２５は、冷房時における冷媒の流れと暖房時における冷媒の流れを切り替えるための流路切替装置である。冷房時及び暖房時における冷媒の流れについては、後述する。
【００２６】
熱源側ドレンパン２６は、熱源側熱交換器２４の下方に設けられ、熱源側熱交換器２４において空気中の水分が凝縮されて生じるドレン水と熱媒体が流れる配管の結露水を受けるためのものである。また、熱源側ドレンパン２６は、ドレン水配管３０で少なくとも１つの負荷側ドレンパン１５と接続されており、熱源側ドレンパン２６で受けたドレン水を負荷側ドレンパン１５に導いている。熱源側ドレンパン２６から負荷側ドレンパン１５へのドレン水の供給方法は、熱源側ドレンパン２６を負荷側ドレンパン１５よりも上方に配置し、位置関係を利用しても良く、またポンプなどを用いても良い。このように構成することで、空気調和装置１００内に生じたドレン水を装置の外部に排水するためのドレンポンプを共通化することができ、コストを削減できる。
【００２７】
制御装置２７は、室内温度センサや空気調和装置１００に搭載される他の各種センサ（図示省略）からの情報及び運転情報と、使用者の設定情報に基づき、予め搭載されている制御プログラムに基づいて、空気調和装置１００の運転を指令するものである。例えば、送風機１２の回転数制御、絞り装置１６の開度制御、圧縮機２３の駆動周波数制御、四方弁２５の切り替え制御等の制御を行う。制御装置２７は、例えば、このような機能を実現する回路デバイスなどのハードウェア、又はマイコン若しくはＣＰＵなどの演算装置上で実行されるソフトウェアで構成される。
【００２８】
図５は、図１においてＤ方向から見た空気調和装置の外観図である。パネル１０２は、空気調和装置１００の天井面５０に取り付けられる化粧パネルであり、吸込口１０４と吹出口１０５が設けられている。吸込口１０４は、例えば矩形状の開口部として構成され、パネル１０２上の対向する長辺に沿って２つ設けられている。吸込口１０４は送風機１２の駆動によって室内の空気を負荷側ユニット１０の内部に誘引させるように構成される。吹出口１０５は、例えば矩形状の開口部として構成され、吸込口１０４の外側に設けられている。吹出口１０５は、負荷側熱交換器１４で熱交換された空気を室内に供給するように構成される。
【００２９】
上記の構成において、室内の空気は、パネル１０２の吸込口１０４から負荷側ユニット１０内に吸い込まれ、風路ガイド１７によりフィルタ１３を通るように導かれた後、負荷側熱交換器１４と熱交換し、吹出口１０５から室内に吹き出される。なお、図５では、パネル１０２に吸込口１０４及び吹出口１０５を２つずつ設けた構成としているが、例えば、吸込口１０４及び吹出口１０５を１つずつ設けた構成にしても良いし、パネル１０２の各辺に吸込口及び吹出口を１つずつ設けた構成としても良い。
【００３０】
またパネル１０２は、天井面５０から取り外し可能な構成になっており、空気調和装置１００の各機器をメンテナンスする際、パネル１０２を取り外して室内側から負荷側ユニット１０及び熱源側ユニット２０内の各機器のメンテナンスを行うことができる。さらに、負荷側ユニット１０と熱源側ユニット２０は、支持部材１０３ａ、１０３ｂ、１０３ｃとそれぞれ着脱可能に結合されているため、メンテナンスが必要なユニットだけを取り外して、メンテナンスを行ったり、ユニット交換を行うことができる。
【００３１】
さらに、パネル１０２を取り外し、熱源側ユニット２０の底板２１の点検蓋２９を開くことで、点検口２８を通して室内側から制御装置２７のメンテナンスやソフトウェアのアップデートを行うことができる。
【００３２】
次に、実施の形態の空気調和装置１００の冷媒回路について説明する。
【００３３】
図６は、本発明の実施の形態に係る空気調和装置の冷媒回路図である。空気調和装置１００は、圧縮機２３、四方弁２５、熱源側熱交換器２４、絞り装置１６、及び負荷側熱交換器１４が冷媒配管で接続され、内部を冷媒が循環する冷媒回路３１を備えている。詳細に述べると、負荷側ユニット１０では、第１の配管口３２、絞り装置１６、負荷側熱交換器１４、第２の配管口３３とが直列に接続されている。熱源側ユニット２０では、第３の配管口３４、熱源側熱交換器２４、四方弁２５が直列に接続されており、四方弁２５の他の３つの接続口は、圧縮機２３の吐出側、吸入側、及び第４の配管口３５に接続されている。また、第１の配管口３２は接続配管３６により第３の配管口３４と接続されており、第２の配管口３３は接続配管３７により第４の配管口３５と接続されている。なお、第１の配管口３２と第３の配管口３４、及び第２の配管口３３と第４の配管口３５は、フレア加工により接続されている。
【００３４】
冷媒としてはフロン冷媒（例えばＨＦＣ系冷媒のＲ３２冷媒やＲ１２５、Ｒ１３４ａ、またこれらの混合冷媒のＲ４１０ＡやＲ４０７ｃ、Ｒ４０４Ａなど）やＨＦＯ冷媒（例えばＨＦＯ−１２３４ｙｆ、ＨＦＯ−１２３４ｚｅ（Ｅ）、ＨＦＯ−１２３４ｚｅ（Ｚ））が用いられる。その他、冷媒としては、ＣＯ２冷媒、ＨＣ冷媒（例えばプロパン、イソブタン冷媒）、アンモニア冷媒や、Ｒ３２とＨＦＯ−１２３４ｙｆとの混合冷媒のように前記の冷媒の混合冷媒など、蒸気圧縮式のヒートポンプに用いられる冷媒が用いられる。
【００３５】
さらに、本実施の形態では、熱源側熱交換器２４は、水冷式熱交換器として構成されているため、冷媒回路３１の冷媒と熱交換を行うための熱媒体回路４１を備えている。なお、図示しないが、熱媒体回路４１には、屋外に設置された冷却塔と、冷却塔の熱媒体の流出口側と熱源側熱交換器２４の熱媒体の流入口側との間に配置された水冷ポンプとが、配管接続されている。冷却塔は、熱媒体を大気と直接的又は間接的に接触させて冷却する熱交換装置である。水冷ポンプは、冷却塔から熱媒体を吸引し、吸引した熱媒体を熱源側熱交換器２４に圧入する流体機械である。
【００３６】
熱源側熱交換器２４を水冷式熱交換器として構成することにより、排熱処理を冷却塔にて容易に行うことができ、空気調和装置１００には排熱処理を行うためのダクト等を設ける必要がなくなる。したがって、熱源側熱交換器２４を水冷式熱交換器として構成することにより、空気調和装置１００の構成を小型化し、簡易にすることができる。また、熱源側熱交換器２４を水冷式熱交換器として構成することにより、大気への熱の排出を最小限に抑制されるため、ヒートアイランド現象を抑制できる。
【００３７】
なお、熱源側熱交換器２４は、空冷式熱交換器として構成してもよい。熱源側熱交換器２４は、空冷式熱交換器として構成される場合、例えば、伝熱管と複数のフィンとにより構成されたクロスフィン式のフィン・アンド・チューブ型熱交換器として構成できる。
【００３８】
次に、空気調和装置１００の冷媒回路３１の動作について図７及び図８を用いて説明する。図７は、本発明の実施の形態に係る空気調和装置の冷房時における冷凍サイクルを示す冷媒回路図である。図８は、本発明の実施の形態に係る空気調和装置の暖房時における冷凍サイクルを示す冷媒回路図である。冷房時と暖房時の冷媒の流れは四方弁２５により切り替えることができる。なお、図７及び図８における冷媒の流れは、実線の矢印で示されており、熱媒体の流れは、点線の矢印で示されている。
【００３９】
まず、図７を用いて冷房時の動作について説明する。冷房時において、圧縮機２３を駆動すると、高温高圧のガス冷媒が圧縮機２３から吐出され、四方弁２５を介して熱源側熱交換器２４へ流入する。熱源側熱交換器２４に流入した冷媒は、熱媒体回路４１を流れる熱媒体と熱交換して凝縮され、低温高圧の冷媒となる。凝縮された冷媒は、第３の配管口３４、第１の配管口３２を通過して負荷側ユニット１０に入り、絞り装置１６で減圧され、気液二相冷媒となる。気液二相冷媒は、負荷側熱交換器１４で空気と熱交換して蒸発される。蒸発した冷媒は、第４の配管口３５、第４の配管口３５を通過して熱源側ユニット２０に入り、四方弁２５を介して圧縮機２３に吸引され、再び圧縮される。上記のように、冷房時においては負荷側熱交換器１４を蒸発器として機能させることで室内を冷却するものである。
【００４０】
次に、図８を用いて暖房時の動作について説明する。暖房時において、圧縮機２３を駆動すると、高温高圧のガス冷媒が圧縮機２３から吐出され、四方弁２５を介して、第４の配管口３５、第２の配管口３３を通過して負荷側ユニット１０に入り、負荷側熱交換器１４へ流入する。負荷側熱交換器１４に流入した冷媒は、空気と熱交換して凝縮され、低温高圧の冷媒となる。凝縮された冷媒は、絞り装置１６で減圧され、気液二相冷媒となり、第１の配管口３２、第３の配管口３４を通過して熱源側ユニット２０に入り、熱源側熱交換器２４に流入する。熱源側熱交換器２４に流入した冷媒は、熱媒体回路４１を流れる熱媒体と熱交換して蒸発される。蒸発した冷媒は、四方弁２５を介して圧縮機２３に吸引され、再び圧縮される。上記のように、暖房時においては負荷側熱交換器１４を凝縮器として機能させることで室内を加熱するものである。
【００４１】
上記のように構成された実施の形態によれば、負荷側筐体１１内に収容された送風機１２と負荷側熱交換器１４とを有する負荷側ユニット１０と、負荷側熱交換器１４と冷凍サイクルを構成する熱源側熱交換器２４と圧縮機２３とを有する熱源側ユニット２０を備え、負荷側ユニット１０及び熱源側ユニット２０は天井面５０と並行する方向に連結配置しているため、室内側から負荷側ユニット１０及び熱源側ユニット２０のメンテナンスが可能となり、室内側からメンテナンスできる範囲が拡大され、メンテナンス性を向上できる。
【００４２】
さらに、負荷側ユニット１０と熱源側ユニット２０を天井面５０と並行する方向に連結配置しているため、一つのユニットとして構成されていた従来の空気調和装置と比較して装置全体の高さを低く構成できる。そのため、空気調和装置の配置の自由度を高めることができる。
【００４３】
また、負荷側ユニット１０と熱源側ユニット２０は連結部材１０１によって連結され、各々のユニットが連結部材１０１と着脱可能であるため、メンテナンス時にいずれかのユニットだけを取り外し、メンテナンスやユニット交換を行うことができる。
【００４４】
また、負荷側熱交換器１４の下方に配置された負荷側ドレンパン１５と、熱源側熱交換器２４の下方に配置され、負荷側ドレンパン１５とドレン水配管３０を介して接続された熱源側ドレンパン２６とを備えているため、空気調和装置１００内に生じたドレン水を装置の外部に排水するためのドレンポンプを共通化することができ、コストを削減できる。
【００４５】
また、熱源側ユニット２０は、点検口２８を有する底板２１を備え、底板２１の上面に制御装置を配置しているため、制御装置２７のメンテナンスやソフトウェアのアップデートを底板２１の点検口２８を通して室内側から行うことができる。
【００４６】
また、熱源側ユニット２０は、底板２１の上方に仕切板２２を備え、仕切板２２の上面に圧縮機２３を配置しているため、室内との境界をなすパネル１０２と近接する底板２１と仕切板２２の間に空間が生じ、圧縮機２３の振動がパネル１０２に伝わりにくい構成となっている。そのため、圧縮機２３の振動による室内への騒音を低減できる。
【００４７】
以上、本発明を、上記実施の形態を用いて説明したが、本発明の技術的範囲は上記実施の形態に記載の範囲には限定されない。発明の要旨を逸脱しない範囲で上記各実施の形態に多様な変更又は改良を加えることができ、該変更又は改良を加えた形態も本発明の技術的範囲に含まれる。
【００４８】
例えば、本実施の形態では、連結部材１０１は、空気調和装置１００の長辺に沿って２つ設けて、負荷側ユニット１０と熱源側ユニット２０を連結させたが、負荷側ユニット１０と熱源側ユニット２０を支持する強度があれば、この構成に限らない。
【００４９】
また、本実施の形態では、絞り装置１６は、負荷側ユニット１０内に設けた構成としているが、例えば、熱源側ユニット２０内に設けた構成としても良い。
【００５０】
また、本実施の形態では、熱源側ユニット２０は、側面や上面に開口を設けた構成としているが、側面や上面を覆う熱源側筐体を備えた構成としても良い。圧縮機２３を覆う筐体を備えることで、圧縮機２３から生じる騒音を低減することができる。
【００５１】
また、本実施の形態では、負荷側ドレンパン１５と熱源側ドレンパン２６を接続するドレン水配管３０を備えたが、熱源側ドレンパン２６が受ける結露水が少ない場合、ドレン水配管を設ける必要はなく、自然蒸発を利用しても良い。
【符号の説明】
【００５２】
１０  負荷側ユニット、  １１  負荷側筐体、  １２  送風機、  １３  フィルタ、
１４  負荷側熱交換器、  １５  負荷側ドレンパン、  １６  絞り装置、  １７  風路ガイド、  ２０  熱源側ユニット、  ２１  底板、  ２２  仕切板、  ２３  圧縮機、
２４  熱源側熱交換器、  ２５  四方弁、  ２６  熱源側ドレンパン、  ２７  制御装置、  ２８  点検口、  ２９  点検蓋、  ３０  ドレン水配管、  ３１  冷媒回路、
３２  第１の配管口、  ３３  第２の配管口、  ３４  第３の配管口、
３５  第４の配管口、  ３６，３７  接続配管、  ４１  熱媒体回路、  ５０  天井面、  １００  空気調和装置、  １０１  連結部材、  １０２  パネル、
１０３a、１０３ｂ、１０３ｃ  支持部材、  １０４  吸込口、  １０５  吹出口
【図１】
2018055726.tif 000003
【図２】
2018055726.tif 000004
【図３】
2018055726.tif 000005
【図４】
2018055726.tif 000006
【図５】
2018055726.tif 000007
【図６】
2018055726.tif 000008
【図７】
2018055726.tif 000009
【図８】
2018055726.tif 000010
【手続補正書】
【提出日】平成31年1月10日(2019.1.10)
【手続補正１】
【補正対象書類名】明細書
【補正対象項目名】０００６
【補正方法】変更
【補正の内容】
【０００６】
本発明に係る天吊型空気調和装置は、筐体内に収容された送風機と負荷側熱交換器とを有し、天井裏に配置される負荷側ユニットと、前記負荷側熱交換器と冷凍サイクルを構成する熱源側熱交換器と圧縮機とを有し、前記天井裏に配置される熱源側ユニットと、吸込口と吹出口を有し、天井面から取り外し可能な構成であるパネルと、を備え、前記負荷側ユニット及び前記熱源側ユニットは、前記天井面と並行する方向に連結配置され、前記負荷側ユニット及び前記熱源側ユニットは、連結部材によって連結され、各々のユニットが前記連結部材と着脱可能であるものである。
【手続補正２】
【補正対象書類名】特許請求の範囲
【補正対象項目名】全文
【補正方法】変更
【補正の内容】
【特許請求の範囲】
【請求項１】
筐体内に収容された送風機と負荷側熱交換器とを有し、天井裏に配置される負荷側ユニットと、
前記負荷側熱交換器と冷凍サイクルを構成する熱源側熱交換器と圧縮機とを有し、前記天井裏に配置される熱源側ユニットと、
吸込口と吹出口を有し、天井面から取り外し可能な構成であるパネルと、を備え、
前記負荷側ユニット及び前記熱源側ユニットは、前記天井面と並行する方向に連結配置され、
前記負荷側ユニット及び前記熱源側ユニットは、連結部材によって連結され、各々のユニットが前記連結部材と着脱可能であることを特徴とする天吊型空気調和装置。
【請求項２】
前記連結部材は、前記天井面と並行する方向に延びていることを特徴とする請求項１に記載の天吊型空気調和装置。
【請求項３】
前記負荷側熱交換器の下方に配置された負荷側ドレンパンと、前記熱源側熱交換器の下方に配置され、前記負荷側ドレンパンと配管を介して接続された熱源側ドレンパンとを備えたことを特徴とする請求項１または請求項２に記載の天吊型空気調和装置。
【請求項４】
前記熱源側ユニットには、制御装置が配置されており、
前記熱源側ドレンパンが、前記負荷側ドレンパンよりも上方に配置されていることを特徴とする請求項３に記載の天吊型空気調和装置。
【請求項５】
前記熱源側ユニットは、点検口を有する底板を備え、前記底板の上面に制御装置を配置したことを特徴とする請求項１〜４のいずれか一項に記載の天吊型空気調和装置。
【請求項６】
前記熱源側ユニットは、前記底板の上方に仕切板を備え、前記仕切板の上面に前記圧縮機を配置したことを特徴とする請求項５に記載の天吊型空気調和装置。
【国際調査報告】
2018055726.tif 000011
2018055726.tif 000012
2018055726.tif 000013
2018055726.tif 000014